(57)【特許請求の範囲】
【請求項１】
エレベータのかごの出入口に設けられた敷居の溝である敷居溝に挿入される敷居溝挿入部と、
前記敷居溝挿入部を前記敷居溝に挿入した際に前記かご側から乗場側方向へ前記敷居を跨いで延在する上板部と、
前記上板部から下方に延在して、前記敷居溝挿入部を前記敷居溝に挿入した際に敷居の乗場側側面に当接し、前記かご出入口の下方に取り付けられるつま先保護板を把持する把持部と、
前記上板部から上方に延在する持ち手部と、
を備えるつま先保護板固定治具。
【請求項２】
前記把持部は、前記つま先保護板の前面に面接触する第一の接触板と前記つま先保護板の裏面に面接触する第二の接触板とを有し、
前記第一の接触板と第二の接触板は、前記つま先保護板の厚さに等しい距離を空けて配置される、請求項１に記載のつま先保護板固定治具。
【請求項３】
前記把持部は、前記つま先保護板の前面に面接触する第一の接触板と前記つま先保護板の裏面に面接触する第二の接触板とを有し、
前記第一の接触板は、前記つま先保護板を前記かご出入口の下方に取り付けるために用いられる前記つま先保護板の取付ネジ穴に挿通する仮止め用ピンが挿通する第一の仮止め用の穴を有し、
前記第二の接触板は、前記第一の仮止め用の穴と同心軸上に配置される第二の仮止め用の穴を有する、請求項１に記載のつま先保護板固定治具。
【請求項４】
前記把持部は、前記つま先保護板の前面に面接触する第一の接触板を有し、
前記第一の接触板は、前記つま先保護板を前記かご床の下方に取付ける為のネジ穴に螺合するネジが挿通する仮止め用の穴を有している、
請求項１に記載のつま先保護板固定治具。
【請求項５】
前記第一の接触板の、前記つま先保護板の前面と面接触する面が滑り止め部を有し、前記第二の接触板の、前記つま先保護板の背面と面接触する面が滑り止め部を有する、請求項２又は請求項３に記載のつま先保護板固定治具。
【請求項６】
前記第一の接触板は、前記つま先保護板の側面に接触する側面接触部と、前記側面接触部と略直角を成して前記第二の接触板と当接し、第二の接触板を傾動可能に軸支する軸支部と、を有する、請求項３又は請求項５に記載のつま先保護板固定治具。
【請求項７】
前記把持部は、
前記上板部から下方に延在する基台部と、
前記基台部の下方に設けられ、前記つま先保護板の前面に面接触し、前記つま先保護板を前記かご出入口の下方に取り付けるための前記つま先保護板の取付ネジ穴に挿通する保持部材が挿通する仮止め用の穴を有する第一の接触板と、
前記敷居溝の長手方向に平行な回転軸、前記基台部の前面に取り付けられる一端部、前記一端部に対し前記回転軸を中心に回動し前記第一の接触板の前面に取り付けられる他端部、を有する蝶番と、
を有することを特徴とする請求項１に記載のつま先保護板固定治具。
【請求項８】
前記把持部は、
前記上板部から下方に延在する基台部と、
前記基台部の下方に設けられ、前記つま先保護板の前面に面接触し、前記つま先保護板を前記かご出入口の下方に取り付けるための前記つま先保護板の取付ネジ穴に挿通する保持部材が挿通する仮止め用の穴を有する第一の接触板と、
前記敷居溝の深さ方向に平行な回転軸、前記基台部の側面に取り付けられる一端部、前記一端部に対し前記回転軸を中心に回動し前記第一の接触板の側面に取り付けられる他端部、を有する蝶番と、
を有することを特徴とする請求項１に記載のつま先保護板固定治具。
【請求項９】
前記敷居溝挿入部が前記敷居溝の乗場側面に面接触する請求項１乃至請求項８のいずれか１項に記載のつま先保護板固定治具。
【請求項１０】
前記上板部は、上面から下面へ貫通しかご内側端部から前記敷居溝の短手方向に延びる貫通孔を有し、
前記敷居溝挿入部は、
当座部の径が前記貫通孔の前記敷居溝の長手方向の幅よりも大きく、前記貫通孔に挿通するネジと、
前記ネジの胴部に螺着され、前記敷居溝の内部に配置される可動板とを有することを特徴とする請求項１乃至請求項８のいずれか１項に記載のつま先保護板固定治具。
【発明の詳細な説明】
【技術分野】
【０００１】
本発明は、エレベータのかご床下にエレベータつま先保護板を取り付ける際に、一時的にこれを固定する目的を有する治具に関する。
【背景技術】
【０００２】
エレベータかごのつま先保護板は、エレベータのかご床下に乗場に面する様に設置される板であって、前だれ、又はエプロン等と称呼される場合もある。つま先保護板は、エレベータのかごが、通常の停止位置より上方で停止し戸開してしまった場合に、かごへ乗り込む際につま先がかご床下に入り込んでしまうのを抑止する役割を有している。又、通常の停止位置よりかなり上方（例えば乗場より150cm上方）で停止し戸開した場合には、利用者が、かごが通常位置に無い事に気付かずに昇降路へ侵入し、落下してしまうのを防止する役割等も有している。このことから、つま先保護板は、エレベータの安全装置の一つとも考えられている。
【０００３】
ところで、エレベータの安全装置は、国土交通大臣が定めた構造方法を用いるもの又は国土交通大臣の認定を受けたものとしなければならない旨が定められている（建築基準法施工令  第129条の10第4項）。そこで国土交通省は、「建築基準法施行令第129 条の10 第4 項に係るロープ式エレベーターの安全装置についての評価基準」及び「建築基準法施行令第129 条の10 第4 項に係る油圧式エレベーターの安全装置についての評価基準」を定め、安全装置に係る一定の基準を示している。
【０００４】
同基準には、つま先保護板の設置に係る基準についても言及されており、これによると、特定の条件下で、かごが通常の停止位置より上方で停止し戸開してしまった場合には、「つま先保護板の直線部先端と昇降路の出入口の床面との間の垂直距離」が「11ｃｍ以下の範囲」とならなければならない旨が示されている。
【０００５】
エレベータかごのつま先保護板は、単に経年劣化などで、取替え作業が行われる場合もあるが、前述の基準を満たす目的で、つま先保護板を短いものから長いものに取替える作業が頻繁に行われている。
【０００６】
本発明は、つま先保護板の取替え作業の際に利用される治具に係るものである。従来技術として、つま先保護板の設置方法としては、以下の方法等が提案されている。
【先行技術文献】
【特許文献】
【０００７】
【特許文献１】特開平９−６７０７６号公報（図１、図２参照）
【発明の概要】
【発明が解決しようとする課題】
【０００８】
しかしながら、上記従来技術では、つま先保護板の取り付け作業の際に、手でつま先保護板を保持しながら作業を行う必要があり、誤ってつま先保護板を落下させる可能性が少なからずあるという課題が存在した。又、つま先保護板を保持する者と、つま先保護板をかご床に固定する者と、作業者が２名必要となり、作業が非効率的であるという課題が存在した。
【０００９】
本発明は、このような課題を解決するためになされたものである。
【課題を解決するための手段】
【００１０】
つま先保護板を把持するつま先保護板把持部と、敷居溝に挿入可能な敷居溝挿入部と、つま先保護板把持部と敷居溝挿入部とを上面で接続する上板部と、本治具を持つ為の持ち手部と、を有するつま先保護板固定治具を構成した。
【発明の効果】
【００１１】
つま先保護板は、本発明に係る治具によって保持される為、作業員がつま先保護板を手で保持しなくとも取り付け作業を行うことができる。この為、つま先保護板取り付け作業時に誤ってつま先保護板を落下させるという点を確実に防止することができる。さらに、本発明に係る治具を利用すれば、つま先保護板を作業時に作業者が保持する必要が無い為、保持する作業者１名、取り付けを行う作業者１名、の内、保持する作業者１名は必要は無くなり、取り付けを行う作業者１名のみで効率的に作業が行える。
【図面の簡単な説明】
【００１２】
【図１】本発明の実施の形態１にかかわる正面図である。
【図２】本発明の実施の形態１にかかわる右側面断面図である。
【図３】つま先保護板をかご床前梁に取付けた後の正面図である。
【図４】本発明の実施の形態２にかかわる正面図である。
【図５】本発明の実施の形態２にかかわる右側面断面図である。
【図６】本発明の実施の形態３にかかわる右側面断面図である。
【図７】本発明の実施の形態３にかかわる右側面断面図である。
【図８】本発明の実施の形態４にかかわる正面図である。
【図９】本発明の実施の形態４にかかわる把持部の右側面図である。
【図１０】本発明の実施の形態４にかかわる把持部の上断面図である。
【図１１】本発明の実施の形態４にかかわる把持部の背面図である。
【図１２】本発明の実施の形態５にかかわる把持部の正面図である。
【図１３】本発明の実施の形態５にかかわる把持部の右側面図である。
【図１４】本発明の実施の形態５にかかわる把持部の右側面図である。
【図１５】本発明の実施の形態５にかかわる把持部の正面図である。
【図１６】本発明の実施の形態５にかかわる把持部の右側面図である。
【図１７】本発明の実施の形態５にかかわる把持部の右側面図である。
【図１８】本発明の実施の形態６にかかわる把持部の正面図である。
【図１９】本発明の実施の形態６にかかわる把持部の左側面図である。
【図２０】本発明の実施の形態６にかかわる把持部の左側面図である。
【図２１】本発明の実施の形態６にかかわる把持部の正面図である。
【図２２】本発明の実施の形態６にかかわる把持部の左側面図である。
【図２３】本発明の実施の形態６にかかわる把持部の左側面図である。
【図２４】本発明の実施の形態７にかかわる右断面図である。
【図２５】本発明の実施の形態８にかかわる敷敷居溝挿入部の右断面図である。
【図２６】本発明の実施の形態８にかかわる上板部１０の上面図である。
【発明を実施するための形態】
【００１３】
以下、本発明の実施の形態について、図１、図２、図３を参照しながら説明する。
実施の形態１．
図１は本発明の実施の形態１を示す治具の利用時の正面図である。図２は、図１に記載の治具の右側面断面図である。
【００１４】
図１に示すように、実施の形態１に係る治具１は、つま先保護板７の上端部における長手方向の両端にそれぞれ取り付けられる。２つの治具１は、同じ形状であり、治具１は、エレベータのかごの出入口に設けられた敷居６の溝である敷居溝６１に挿入される敷居溝挿入部４と、敷居溝挿入部４を敷居溝６１に挿入した際にかご側から乗場側方向へ敷居６を跨いで延在する上板部１０とを備えている。さらに治具１は、上板部１０から下方に延在して、敷居溝挿入部４を敷居溝６に挿入した際に敷居６の乗場側側面に当接するとともに、前記かご出入口の下方に取り付けられるつま先保護板７を把持する把持部３と、上板部１０から上方に延在する持ち手部２と、を備えている。
【００１５】
把持部３は、治具１につま先保護板７を取付けて敷居溝挿入部４を敷居溝６に挿入した際に敷居６の乗場側面の表面に面接触する基台部３０と、この基台部３０から下方に延在するつま先保護板７の前面に面接触する第一の接触板３１と、つま先保護板７の裏面に面接触する第二の接触板３２と、を有する。
第一の接触板３１と第二の接触板３２は、つま先保護板７の厚さに等しい距離を空けて向かい合って配置されており、この間隙につま先保護板７の上端部が挿入される。
【００１６】
第一の接触板３１の中央部（中央を含む）には、仮止め用ピン５１が挿通する仮止め用の穴である仮止め用穴３３１が設けられ、第二の接触板３２の中央部（中央を含む）にも仮止め用穴３３１と同軸で同じ大きさの仮止め用の穴である仮止め用穴３３２が設けられる。
【００１７】
仮止め用穴３３１と仮止め用穴３３２は、第一の接触板３１と第二の接触板３２の間につま先保護板７を挿入し把持させようとした際に、つま先保護板取付ネジ穴７１の中心と、仮止め用穴３３１の中心と仮止め用穴３３１の中心とがほぼ一致する位置に配置される。また、仮止め用穴３３１と仮止め用穴３３２は、つま先保護板７を把持部３に仮止めする為に、つま先保護板取付ネジ穴７１と仮止め用穴３３１と仮止め用穴３３２とに挿通される仮止め用ピン５１の径よりも大きい径を有している。
【００１８】
仮止め用ピン５１を、仮止め用穴３３１とつま先保護板取付ネジ穴７１と仮止め用穴３３２とに挿通させれば、仮止め用ピン５１は、第一の接触板３１と第二の接触板３２に支持される。そして、つま先保護板７は、第一の接触板３１と第二の接触板３２の間において、仮止め用ピン５１の軸部上に支持される。この為、仮止め用ピン５１を、仮止め用穴３３１とつま先保護板取付ネジ穴７１と仮止め用穴３３２とに挿通させれば、第一の接触板３１と第二の接触板３２によってつま先保護板７は把持できる。
【００１９】
上板部１０は、敷居溝挿入部４と、敷居６の乗場側面の表面に面接触する基台部３０と、に接続されており、敷居溝挿入部４を敷居溝６１に挿入した際にかご側から乗場側方向へ敷居６を跨いで延在している。
【００２０】
図２において、敷居溝６１の短手方向における敷居溝挿入部４の幅は、敷居溝６１の短手方向の幅と同じである。そのため、敷居溝６１に挿入された敷居溝挿入部４のかご内側側面と敷居溝６１のかご内側の側面との間、及び、敷居溝挿入部４の乗場側側面と敷居溝６１の乗場側の側面には、何れにも間隙は存在しない。
【００２１】
敷居溝挿入部４の乗場側側面と、上板部１０の下面と、基台部３０のかご内側側面とで、略コの字状の面が構成される。敷居溝挿入部４の乗場側側面と、基台部３０のかご内側側面とは、敷居溝６１の乗場側側面と敷居６の乗場側側面との距離と等しい距離離れて位置する。また、敷居溝挿入部４の下面と上板部１０の下面との距離は、敷居溝６１の深さと等しいまたは若干短い。したがって、敷居溝挿入部４を敷居溝６１に挿入すると、略コの字状の面を構成する各面が、それぞれ、敷居溝６１の乗場側面と、敷居６上面の乗場側部分と、敷居６の乗場側側面とに面接触する。
【００２２】
敷居溝挿入部４を敷居溝６１に挿入すると、敷居溝挿入部４の乗場側側面と敷居溝６１の乗場側側面が面接触し、敷居溝挿入部４のかご内側側面と敷居溝６１のかご内側の側面が面接触するから、敷居溝挿入部４が敷居溝６１の短手方向に動く事はなく、安定して治具１を敷居６に固定できる。治具１を敷居６に固定できるから、把持部３に把持されたつま先保護板７は作業員が保持することなく、敷居６に保持された状態を構成することができる。
【００２３】
持ち手部２は、上板部１０に接続され上板部１０の上方に延在している。持ち手部２は、図２に示す右側面断面図の様に、略長方形（正方形を含む）に構成されており、指を掛けるための空間が長方形に設けられており、この空間に指を掛けて治具１を持ち上げれば、把持部３に把持されたつま先保護板７を治具１と共に持ち上げることができる。
【００２４】
つま先保護板７は、略長方形状の板であって、かご出入口の下方に取り付けられる。つま先保護板７は、つま先保護板７の上端部における長手方向に等間隔に３つのつま先保護板取付ネジ穴７１を有している。各つま先保護板取付ネジ穴７１は、つま先保護板７の上端部であって、各つま先保護板取付ネジ穴７１おける中心を結ぶと、つま先保護板７の上端部に対し平行な一直線上に配置されている。
【００２５】
かご床下には、乗場に面してかご床前梁８があり、かご前梁８は、つま先保護板７を固定する為のネジ穴である保護板固定穴９を有している。
保護板固定穴９の位置は、つま先保護板７をかご床前梁８にあてがった際に各つま先保護板取付ネジ穴７１と穴の位置とが一致する場所に設けられている。又、各つま先保護板取付ネジ穴７１と保護板固定穴９の穴の径は、同じ大きさとなっている。
【００２６】
つま先保護板７は、つま先保護板取付ネジ穴７１と保護板固定穴９とに挿通されて螺合するつま先保護板取付ネジ７２でつま先保護板取付ネジ穴７１と保護板固定穴９とをネジ止めすれば、かご床下に固定する事ができる。
【００２７】
治具１の作業時の利用方法を説明する。つま先保護板７をかご床前梁８に固定させる作業をする作業員は、治具１の把持部３につま先保護板７を把持させる。そして、敷居溝６１に敷居溝挿入部４を挿入する。すると、つま先保護板７がかご床下のかご床前梁８に面する様に配置される。これにより、つま先保護板７がかご床前梁８にあてがわれた状態となり、つま先保護板７のつま先保護板取付ネジ穴７１と、保護板固定穴９とが同芯軸上に配置される。
【００２８】
作業員は、先ず治具１が取付けられていない、つま先保護板７の真ん中に配置されたつま先保護板取付ネジ穴７１と、これと同芯軸上にある保護板固定穴９と、に対してつま先保護板取り付けネジ７２を螺合させ、つま先保護板７をかご床下のかご床前梁８に固定する。ここまでで、つま先保護板７の真ん中のつま先保護板取付ネジ穴７１だけがネジ止めされた状態となる。
【００２９】
この状態は、つま先保護板７の真ん中のつま先保護板取付ネジ穴７１だけがかご床前梁８にネジ止めされているが、左右のつま先保護板取付ネジ穴７１は把持部３に把持されている状態である。そのため、つま先保護板７の長手方向の両端に設けられたつま先保護板取付ネジ穴７１と保護板固定穴９との間には、第二の接触板３２が介在する。つま先保護板７は弾力性を有しているため、敷居６の上面の方向からつま先保護板７を見ると、凸状（略弓形）に変形している状態になっている。
【００３０】
治具１が取付けされている左右のつま先保護板取付ネジ穴７１と、保護板固定穴９と、は同芯軸上に配置される。しかし、把持部３によってつま先保護板取付ネジ穴７１は把持されているため、つま先保護板７の長手方向の両端に設けられたつま先保護板取付ネジ穴７１と保護板固定穴９との間には、第二の接触板３２が介在する。この第二の接触板３２が妨げとなり、このままでは、つま先保護板７をかご床前梁８にネジ止めすることができない。
【００３１】
そこで、作業員は、つま先保護板７の把持を把持部３から仮止め用ピン５１を外すことで止めて、敷居溝挿入部４を敷居溝６１から外して治具１を取り除く。すると、妨げとなっていた把持部３は治具１と共に外されている為、つま先保護板取付ネジ穴７１と保護板固定穴９との間には、もはや第二の接触板３２は介在しない。その結果、つま先保護板７は弓形の形から元の形状に戻り、つま先保護板７の上端部における長手方向の両端はかご床前梁８に接触した状態となる。そこで、作業員は、左右のつま先保護板取付ネジ穴７１と保護板固定穴９につま先保護板取り付けネジ７２を螺合させ、つま先保護板７をかご床前梁８にネジ止めする。
【００３２】
これにより最終的には、つま先保護板７は、上端部の真ん中と左右との３点でかご床前梁８にネジ止めされ、図３に示すように固定されることになる。
【００３３】
なお、治具１は、つま先保護板７の真ん中のつま先保護板取付ネジ穴７１をかご床前梁８に固定させた後であれば、左右共に一度に取り除いても良いし、右又は左の片方ずつ取り除いても良い。
【００３４】
この様に、つま先保護板７は、治具１によって敷居溝６を介して保持される為、つま先保護板７取り付け作業時に誤ってつま先保護板７を落下させるという点を確実に防止することができる。さらに、本発明に係る治具１を利用すれば、つま先保護板７を作業時に作業者が保持する必要が無い為、保持する作業者１名、取り付けを行う作業者１名、の内、保持する作業者１名は必要無くなり、取り付けを行う作業者１名のみで効率的に作業が行える。
【００３５】
本実施の形態１において持ち手部２は、敷居溝６１に対して短手方向に配置されているが、敷居溝６１に対して長手方向に配置しても良い。持ち手部は、把持部３によって把持されたつま先保護板７を持ち上げることができれば、その役割を果たしているから、設置場所や方法は実施例に限定されるものではない。
【００３６】
上述では、治具１をつま先保護板７の上端部における長手方向の両端に配置したつま先保護板取付ネジ穴７１に取り付けた。しかし、つま先保護板７の上端部における真ん中のつま先保護板取付ネジ穴７１に治具１を取り付け、この治具１の敷居溝挿入部４を敷居溝６１に挿入することで、つま先保護板７をかご床前梁８に一時的に固定してもよい。又、冶具１を構成する各部は、一体形成されていてもよい。例えば、敷居溝挿入部４と上板部１０とが一体形成されている構成が挙げられる。
【００３７】
実施の形態２．
図４は、実施の形態２に関わる正面図である。図５は、実施の形態２に係る右側面断面図である。図２と同一または対応する部分については、同一の符号を付し説明を省略する。
実施の形態２における把持部３ａは、つま先保護板７の前面に面接触する第一の接触板３１ａを有しているが、実施の形態１では存在した第二の接触板３２は有さない。
【００３８】
実施の形態１によれば、つま先保護板７の治具１への仮止は、仮止め用ピン５１を仮止め用穴３３１と、つま先保護板取付ネジ穴７１と、仮止め用穴３３２と、に挿通することで成されるものであったが、実施の形態２によれば、つま先保護板７の治具１ａへの仮止は、仮止め用ネジ５２を仮止め用穴３３１に挿通した後、つま先保護板取付ネジ穴７１に仮止め用ネジ５２を螺合させることで成されるものである。
【００３９】
つま先保護板取付ネジ穴７１と仮止め用穴３３１とに挿通される仮止め用ネジ５２の当座部の径は、仮止め用穴３３１より大きい。また、仮止め用ネジ５２の胴部の径は仮止め用穴３３１の径より小さく、つま先保護板取付ネジ穴７１の径と一致している。
【００４０】
この為、仮止め用ネジ５２を仮止め用穴３３１に挿通させて、仮止め用ネジ５２の胴部をつま先保護板取付ネジ穴に螺合させれば、つま先保護板７は第一の接触板３１ａに対し螺着される。そのため、つま先保護板７は第一の接触板３１ａを介して把持することができる。
【００４１】
実施の形態３．
図６、図７は、実施の形態３に係る右側面断面図である。図６は、一つ目の実施例を示す図であり、図７は、２つ目の実施例を示す図である。図２と同一または対応する部分については、同一の符号を付し説明を省略する。
【００４２】
実施の形態３の一つ目の実施例によれば、第一の接触板３１ｃの、つま先保護板７の前面と面接触する面が滑り止め部３４を有し、第二の接触板３２ｃの、つま先保護板７の背面と面接触する面が滑り止め部３４を有している。
【００４３】
実施の形態３の二つ目の実施例によれば、第一の接触板３１ｄの、つま先保護板７の前面と面接触する面が滑り止め部３４を有し、第二の接触板３２は存在していない。
【００４４】
本実施の形態３における滑り止め部３４は、摩擦係数の高い部材で構成されており、例えば、ゴムで構成された面であっても良いし、第一の接触板３１と第二の接触板３２のつま先保護板７と接触する面に、直接に滑り止め加工をしている構成でもよい。つま先保護板７と接触する面の摩擦係数が高い事によって、つま先保護板７を保持する仮止め用ピン５１又は仮止め用ネジ５２に掛かる加重を軽くできる。
【００４５】
又、ゴム等の素材を利用してつま先保護板７を両面から強く挟む様にすれば、仮に、仮止め用ピン５１又は仮止め用ネジ５２が破損した場合であっても、第一の接触板３１と第二の接触板３２である程度つま先保護板７を把持できる為、破損後直ぐに落下する事態を防ぐことができる。
【００４６】
実施の形態４．
図８は実施の形態４に係る治具１の正面図である。図９は、実施の形態４に係る治具１の右側面図である。
実施の形態４によれば、第一の接触板３１ｅは、つま先保護板７の側面に面接触する側面接触部３８と、側面接触部３８と略直角を成して第二の接触板３２ｅと当接し、第二の接触板３２ｅを傾動可能に軸支する軸支部３９と、を有している。図２と同一または対応する部分については、同一の符号を付し説明を省略する。
【００４７】
図１０は、実施の形態４に係る治具１の上面断面図である。
軸支部３９には、仮止め用穴３３１と同軸方向に軸支穴３９１が形成されている。また、第二の接触板３２ｅの軸支部３９との当接部には、軸支穴３２１が形成されている。軸支穴３９１と軸支穴３２１とには回転軸部３６が挿通され、この回転軸部３６の両端部には係止片３５が固定される。このようにして、第二の接触板３２ｅは、回転軸部３６を回転軸として第一の接触板３１ｅに対し傾動可能に軸支される。
【００４８】
図１１は、実施の形態４に係る治具１の背面視において、第二の接触板３２ｅの傾動を示す図である。図１１の実線は、第二の接触板３２ｅの仮止め用穴３３２ｅに仮止め用ピン５１が挿通された状態を示す。この状態において、第二の接触板３２ｅの傾動端は仮止め用ピン５１により支持され、第二の接触板３２ｅはつま先保護板７の裏面と対向する位置に維持される。
【００４９】
第二の接触板３２ｅの仮止め用穴３３２から仮止め用ピン５１を抜くと、回転軸部３６を中心として第一の接触板に対し傾動可能となる。従って、図１１に示すように、傾動する前の位置から略９０度時計回りに回転させることができる。この回転により、第二の接触板３２ｅはつま先保護板７の裏面と対向しない位置に移動するため、つま先保護板７とかご床前梁８の間に隙間が生じる。これにより、つま先保護板７を乗場側からかご側方向に押し出して、保護板固定穴９に接近させることができる。
【００５０】
実施の形態４においても、実施の形態１の取り付け手順に従い、つま先保護板７の真ん中のつま先保護板取付ネジ穴７１だけがネジ止めする。すると、つま先保護板取付ネジ穴７１と保護板固定穴９との間には、第二の接触板３２ｅが介在している為、敷居６の上面の方向からつま先保護板７を見ると、凸状（略弓形）に変形する。つま先保護板７を凸状（略弓形）から元の形状に戻す為には、冶具１を取り外す必要があった。
【００５１】
本構成によれば、第二の接触板３２ｅはつま先保護板７の裏面と対向しない位置に移動することができるから、冶具１を取り外さなくても、つま先保護板取付ネジ穴７１と保護板固定穴９との間には、第二の接触板３２ｅが介在しない状態とできる。
実施の形態４においてもつま先保護板７が凸状（略弓形）に変形する点は避けられない。しかし、第二の接触板３２ｅはつま先保護板７の裏面と対向しない位置に移動させれば、つま先保護板７は元の形状に戻せる。従って、本体を取り外さなくても、つま先保護板７を凸状（略弓形）から元の形にして、つま先保護板７の真ん中のつま先保護板取付ネジ穴７１のネジ止めを行えば、実施の形態１よりもしっかりとネジ止めすることができる。
【００５２】
実施の形態５．
本実施の形態５には、実施の形態４における把持部３ｅの構造を変更した実施例と、実施の形態２における把持部３ａの構造を変更した実施例の２つの実施例が含まれている。図１２から図１４は、一つ目の実施例を示す図であり、図１５から図１７は、二つ目の実施例を示す図である。
【００５３】
まず、一つ目の実施例について説明する。図１２は実施の形態５の一つ目の実施例に係る把持部３ｆの正面図、図１３は把持部３ｆの形状が変化する前の様子を示す右側面図、図１４は把持部３ｆの形状が変化した後の様子を示す右側面図である。図１２から図１３において、実施の形態４と同一または対応する構成については、同一の符号を付し、説明を省略する。
【００５４】
把持部３ｆは上下に分断されおり、基台部３０ｆと第一の接触板３１ｆを有する。基台部３０ｆと第一の接触板３１ｆは、基台部３０ｆの前面の下辺と第一の接触板３１ｆの前面の上辺とに平行な方向に回転軸を有する２つの蝶番３７によって互いに回動可能に連結されている。
【００５５】
基台部３０ｆの下端と第一の接触板３１ｆの上端とは、２つの蝶番３７によって接続されており、２つの蝶番３７は基台部３０ｆの前面下端の両端部にそれぞれ配置される。この為、第一の接触板３１ｆは、その前面が基台部３０ｆの前面と平行になっている位置（図１４の破線で示す位置）から、蝶番３７の回転軸を中心に下から上へ捲り上げる様に、基台部３０ｆに対し図１４の実線で示す位置まで回動させることができる。なお、図１２から図１４においては記載を省略しているが、基台部３０ｆの上端は、実施の形態４と同様、上板部１０に接合され固定されている。
【００５６】
本実施例の治具１に保持されたつま先保護板７をかご床前梁８に固定する際に、第一の接触板３１ｆは、つま先保護板取付ネジ穴７１よりも作業者に対して手前側にある。即ち、仮止め用穴３３１とつま先保護板取付ネジ穴７１とが同軸上にある為、第一の接触板３１ｆが、つま先保護板７をかご床前梁８に固定する作業の妨げとなる。しかし、実施の形態５によれば、第一の接触板３１ｆの下端を蝶番３７の回転軸に従い下から上へめくり上げるように回動させることができるから、第一の接触板３１ｆと一体となって仮止め用穴３３１も移動できる。すると、仮止め用穴３３１とつま先保護板取付ネジ穴７１とが同軸上になくなるので、第一の接触板３１ｆが作業の妨げとならない。このように、仮止め用穴３３１がつま先保護板取付ネジ穴７１の同軸上になくなるまで第一の接触板３１ｆを回動させ、第二の接触板３２ｅをつま先保護板７の裏面と対向しない位置に移動させることで、つま先保護板７をかご床前梁８に対し螺着させることができるようになる。
【００５７】
尚、機能的には同じものであれば、蝶番３７を２つ利用する構造で無くとも、構わない。具体的には、基台部３０ｆの下端と第一の接触板３１ｆの上端とが、１つの蝶番３７によって接続されており、蝶番３７は基台部３０ｆの前面下端の中央部に配置される構成が考えられる。
【００５８】
実施の形態４においては、つま先保護板７をかご床前梁８に固定する作業の妨げとなる第一の接触板３１ｅを、つま先保護板取付ネジ穴７１の前方から取り除く方法は、冶具１を取り外さなければならなかった。しかし、実施の形態５の一つ目の実施例によれば治具１を取り外さなくても、つま先保護板７をかご前梁８に固定することができるので、作業効率が良い。
【００５９】
次に、二つ目の実施例について説明する。図１５は実施の形態５の二つ目の実施例に係る把持部３ｇの正面図、図１６は把持部３ｇの形状が変化する前の様子を示す右側面図、図１７は把持部３ｇの形状が変化した後の様子を示す右側面図である。図１５から図１７において、実施の形態２と同一または対応する構成については、同一の符号を付し、説明を省略する。
【００６０】
把持部３ｇは上下に分断されおり、基台部３０ｇと第一の接触板３１ｇを有する。基台部３０ｇと第一の接触板３１ｇは、基台部３０ｇの前面の下辺と第一の接触板３１ｇの前面の上辺とに平行な方向に回転軸を有する２つの蝶番３７によって互いに回動可能に連結されている。
【００６１】
基台部３０ｇの下端と第一の接触板３１ｇの上端とは、２つの蝶番３７によって接続されており、２つの蝶番３７は基台部３０ｇの前面下端の両端部にそれぞれ配置される。この為、第一の接触板３１ｇは、その前面が基台部３０ｇの前面と平行になっている位置（図１７の破線で示す位置）から、蝶番３７の回転軸を中心に下から上へ捲り上げる様に、基台部３０ｇに対し図１７の実線で示す位置まで回動させることができる。なお、図１５から図１７においては記載を省略しているが、基台部３０ｇの上端は、実施の形態４と同様、上板部１０に接合され固定されている。
【００６２】
本実施例の治具１においても、一つ目の実施例と同様、第一の接触板３１ｇの下端を蝶番３７の回転軸に従い下から上へめくり上げるように回動させることで、第一の接触板３１ｇの仮止め用穴３３１をつま先保護板取付ネジ穴７１の中心軸上から待避させ、つま先保護板７をかご床前梁８に対し螺着させることができる。以上のことから、実施の形態５の二つ目の実施例によれば治具１を取り外さなくても、つま先保護板７をかご前梁８に固定することができるので、作業効率が良い。
【００６３】
実施の形態６．
本実施の形態６には、実施の形態４における把持部３ｅの構造を変更した実施例と、実施の形態２における把持部３ａの構造を変更した実施例の２つの実施例が含まれている。図１８から図２０は、一つ目の実施例を示す図であり、図２１から図２３は、二つ目の実施例を示す図である。
【００６４】
まず、一つ目の実施例について説明する。図１８は実施の形態６の一つ目の実施例に係る把持部３ｈの正面図、図１９は把持部３ｈの形状が変化する前の様子を示す左側面図、図２０は把持部３ｈの形状が変化した後の様子を示す左側面図である。図１８から図１９において、実施の形態４と同一または対応する構成については、同一の符号を付し、説明を省略する。
【００６５】
把持部３ｈは上下に分断されおり、基台部３０ｈと第一の接触板３１ｈを有する。基台部３０ｈと第一の接触板３１ｈは、基台部３０ｈの左側面の下辺と第一の接触板３１ｈの左側面の上辺とに垂直な方向に回転軸を有する蝶番３７によって互いに回動可能に連結されている。
【００６６】
基台部３０ｈの左側面の下端と第一の接触板３１ｈの左側面の上端とは、蝶番３７によって接続されており、蝶番３７は基台部３０ｈの左側面下端の端部に配置される。この為、第一の接触板３１ｈは、その前面が基台部３０ｈの前面と平行になっている位置（図１９の位置）から、蝶番３７の回転軸を中心に時計回りに、基台部３０ｈに対し図２０の実線で示す位置まで回動させることができる。なお、図１８から図２０においては記載を省略しているが、基台部３０ｈの上端は、実施の形態４と同様、上板部１０に接合され固定されている。
【００６７】
本実施例の治具１に保持されたつま先保護板７をかご床前梁８に固定する際に、第一の接触板３１ｈは、つま先保護板取付ネジ穴７１よりも作業者に対して手前側にある。即ち、仮止め用穴３３１とつま先保護板取付ネジ穴７１とが同軸上にある為、第一の接触板３１ｈが、つま先保護板７をかご床前梁８に固定する作業の妨げとなる。しかし、実施の形態６によれば、第一の接触板３１ｈの右端を蝶番３７の回転軸に従い時計回りに回動させることができるから、第一の接触板３１ｈと一体となって仮止め用穴３３１も移動できる。すると、仮止め用穴３３１とつま先保護板取付ネジ穴７１とが同軸上になくなるので、第一の接触板３１ｈが作業の妨げとならない。このように、仮止め用穴３３１がつま先保護板取付ネジ穴７１の同軸上になくなるまで第一の接触板３１ｈを回動させ、第二の接触板３２ｅをつま先保護板７の裏面と対向しない位置に移動させることで、つま先保護板７をかご床前梁８に対し螺着させることができるようになる。
【００６８】
実施の形態４においては、つま先保護板７をかご床前梁８に固定する作業の妨げとなる第一の接触板３１ｅを、つま先保護板取付ネジ穴７１の前方から取り除く方法は、冶具１を取り外さなければならなかった。しかし、実施の形態６の一つ目の実施例によれば治具１を取り外さなくても、つま先保護板７をかご前梁８に固定することができるので、作業効率が良い。
【００６９】
次に、二つ目の実施例について説明する。図２１は実施の形態６の二つ目の実施例に係る把持部３ｉの正面図、図２２は把持部３ｉの形状が変化する前の様子を示す左側面図、図２３は把持部３ｉの形状が変化した後の様子を示す左側面図である。図２１から図２３において、実施の形態２と同一または対応する構成については、同一の符号を付し、説明を省略する。
【００７０】
把持部３ｉは上下に分断されおり、基台部３０ｉと第一の接触板３１ｉを有する。基台部３０ｉと第一の接触板３１ｉは、基台部３０ｉの左側面の下辺と第一の接触板３１ｉの左側面の上辺とに垂直な方向に回転軸を有する蝶番３７によって互いに回動可能に連結されている。
【００７１】
基台部３０ｉの左側面下端と第一の接触板３１ｉの左側面上端とは、蝶番３７によって接続されており、蝶番３７は基台部３０ｉの左側面下端の端部に配置される。この為、第一の接触板３１ｉは、その前面が基台部３０ｉの前面と平行になっている位置（図２２の位置）から、蝶番３７の回転軸を中心に時計回りに、基台部３０ｉに対し図２０の実線で示す位置まで回動させることができる。なお、図２１から図２３においては記載を省略しているが、基台部３０ｉの上端は、実施の形態４と同様、上板部１０に接合され固定されている。
【００７２】
本実施例の治具１においても、一つ目の実施例と同様、第一の接触板３１ｉの右端を蝶番３７の回転軸に従い時計回りに回動させることで、第一の接触板３１ｇの仮止め用穴３３１をつま先保護板取付ネジ穴７１の中心軸上から待避させ、つま先保護板７をかご床前梁８に対し螺着させることができる。以上のことから、実施の形態６の二つ目の実施例によれば治具１を取り外さなくても、つま先保護板７をかご前梁８に固定することができるので、作業効率が良い。
【００７３】
尚、実施の形態５及び実施の形態６では、第一の接触板３１を２分して蝶番３６で係止することで二分された下の面が可動可能な構成としているが、第一の接触板３１が可動することで、つま先保持板７の取り付けが、治具１を外さずにできる形であればこれに限らない。例えば、第一の接続面３１が左右又は上下にがスライドすることで、つま先保持板ネジ穴７１が現れ、ネジ止めをできる構造等が考えられる。
【００７４】
実施の形態７．
実施の形態７は、実施の形態１から６における敷居溝挿入部４を敷居溝挿入部４ｊに変更したものであり、実施の形態１から６のすべての実施の形態に適用が可能である。以下では、実施の形態１の敷居溝挿入部４を敷居溝挿入部４ｊに変更した形態を例に挙げ、敷居溝挿入部４ｊについて詳細に説明する。
【００７５】
図２４は、実施の形態７において敷居溝挿入部４ｊが敷居溝６１に挿入されている状態における右側面断面拡大図である。図２と同一又は対応する部分については、同一の符号を付し、説明を省略する。
【００７６】
図２４において、敷居溝６１の短手方向における敷居溝挿入部４ｊの幅は、敷居溝６１の幅よりも短い。そのため、敷居溝６１に挿入された敷居溝挿入部４ｊのかご内側側面と敷居溝６１のかご内側の側面との間には間隙が存在する。
【００７７】
敷居溝挿入部４ｊの乗場側側面と、上板部１０の下面と、基台部３０のかご内側側面とで、略コの字状の面が構成される。敷居溝挿入部４ｊの乗場側側面と、基台部３０のかご内側側面とは、敷居溝６１の乗場側側面と敷居６の乗場側側面との距離と等しい距離離れて位置する。また、敷居溝挿入部４ｊの下面と上板部１０の下面との距離は、敷居溝６１の深さと等しいまたは若干短い。したがって、敷居溝挿入部４ｊを敷居溝６１に挿入すると、略コの字状の面を構成する各面が、それぞれ、敷居溝６１の乗場側面と、敷居６上面の乗場側部分と、敷居６の乗場側側面とに面接触する。
【００７８】
仮に、敷居溝挿入部４ｊの乗場側側面と、基台部３０のかご内側側面との距離が、敷居溝６１の乗場側側面と敷居６の乗場側側面との距離よりも長い場合には、敷居溝６１の乗場側側面と敷居溝挿入部４ｊの乗場側側面との間に遊びが生じ得る。この場合、この遊び分だけ冶具１ｊは敷居溝６１の短手方向に動く事が可能となり、治具１ｊによるつま先保護板７の保持が不安定となり得る。
【００７９】
本実施の形態においては、敷居溝挿入部４ｊが敷居溝６１の乗場側側面に面接触しているため、敷居溝挿入部４ｊと敷居溝６１の乗場側側面との間の遊びの発生を排除でき、より安定した状態で治具１ｊを使用できる。また、敷居溝挿入部４ｊの乗場側側面、上板部１０の下面、基台部３０のかご内側側面がそれぞれ、敷居溝６１の乗場側面、敷居６上面の乗場側部分、敷居６の乗場側側面に面接触するため、治具１ｊを敷居６へ安定して取り付けできる。
【００８０】
実施の形態８．
実施の形態８は、実施の形態１から６における上板部１０を上部板１０ｋに変更し、敷居溝挿入部４を敷居溝挿入部４ｋに変更したものであり、実施の形態１から６のすべての実施の形態に適用が可能である。以下では、実施の形態１の上板部１０を上部板１０ｋに変更し、敷居溝挿入部４を敷居溝挿入部４ｋに変更した形態を例に挙げ、上部板１０ｋおよび敷居溝挿入部４ｋについて詳細に説明する。
【００８１】
図２５は、実施の形態８において敷居溝挿入部４ｋが敷居溝６１に挿入されている状態における右側面断面拡大図である。図２５は敷居溝挿入部４ｋの位置が変化した後の図である。図２５の点線は、敷居溝挿入部４ｋの位置が変化する前を示している。図２６は、治具１ｋの上面図である。図２と同一又は対応する部分については、同一の符号を付し、説明を省略する。
【００８２】
実施の形態８において、上板部１０ｋは、上面から下面へ貫通し、かご内側端面から敷居溝６１短手方向に敷居溝６１を跨いで延びる２つの貫通孔１０１を有している。そして、敷居溝挿入部４ｋは、２つの貫通孔１０１に挿通する２つのネジ４１と、２つのネジ４１の胴部に螺着された可動板４２を有する。ネジ４１と可動板４２はそれぞれ、上板部１０ｋとは別体で構成される。ネジ４１の当座部の径は、貫通孔１０１の敷居溝６１長手方向の幅よりも大きい為、上板部１０の上面にネジ４１頭部の座面部が当接している。
【００８３】
可動板４２は、敷居溝６１の上面に載置された状態で敷居溝６１内に配置される。ネジ４１はちょうボルトで構成されており、ネジ４１を締めれば、ネジ４１頭部の座面部が上板部１０の上面に近づいて当接する。ネジ４１を緩めれば、ネジ４１頭部の座面部が上板部１０の上面から離れるため、ネジ４１頭部の座面部と上板部１０の上面は当接しなくなる。
【００８４】
貫通孔１０１は、上板１０ｋの敷居溝６１長手方向の左右に設けられており、それぞれにネジ４１が設けられている。ネジ４１の当座部の径は、貫通孔１０１の敷居溝６１長手方向の幅よりも大きい為、ネジが貫通孔１０１内に落下する事は無い。
【００８５】
可動板４２は、貫通孔１０１に挿通するネジ４１の胴部に螺着されているから、ネジ４１と一体となって移動する。すなわち、ネジ４１を緩めれば、ネジ４１頭部の座面部が上板部１０ｋの上面に当接しなくなり、貫通孔１０１の延びている範囲でネジ４１を移動させることができる。よって、ネジ４１に螺着された可動板４２の位置をこの範囲で敷居溝６１短手方向に移動させることができる。そして、移動後の位置でネジ４１を締めることで、ネジ４１頭部の座面部と可動板４２の上面とで上部板１０ｋを把持し、敷居溝挿入部４ｋは上板部１０ｋに対し固定される。
【００８６】
敷居溝６１が変形していたり、敷居溝６１の乗場とかごの間の幅が特殊な寸法で設計されたエレベータ等であったりすると、実施の形態１から７における敷居溝挿入部４，４ｊでは敷居溝６１に挿入できない場合がある。しかし。このような場合であっても、本実施の形態においては、上板部１０ｋに貫通孔１０１を設け、可動板４２に螺着されたネジ４１を貫通孔１０１に沿って敷居溝６１の短手方向Ｋ１に移動させることができる。したがって、基台部３０と可動板４２との間の距離を調整し、敷居溝６１に敷居溝連結部４ｊを挿入することができる。
【００８７】
尚、本実施の形態ではネジ４１は、ちょうボルトで構成されているが、敷居溝挿入部４ｊが敷居溝６１の短手方向に可動自在な構造であれば、これに限らない。例えば、ちょうボルトの代わりに通常のボルトを利用して調整するもの等であっても構わない。
【符号の説明】
【００８８】
１  治具
１ａ治具
１ｃ治具
１ｄ治具
１ｅ治具
１ｊ治具
１ｋ治具
２  持ち手部
３  把持部
３ａ把持部
３ｃ把持部
３ｄ把持部
３ｅ把持部
３ｆ把持部
３ｇ把持部
３ｈ把持部
３ｉ把持部
３０基台部
３０ｆ基台部
３０ｇ基台部
３０ｈ基台部
３０ｉ基台部
３１第一の接触板
３１ａ第一の接触板
３１ｃ第一の接触板
３１ｄ第一の接触板
３１ｅ第一の接触板
３１ｆ第一の接触板
３１ｇ第一の接触板
３１ｈ第一の接触板
３１ｉ第一の接触板
３２第二の接触板
３２ｃ第二の接触板
３２ｅ第二の接触板
３２１軸支穴
３３１仮止め用穴
３３２仮止め用穴
３４滑り止め部
３５係止片
３６回転軸部
３７蝶番
３８側面接触部
３９軸支部
３９１軸支穴
４  敷居溝挿入部
４１ネジ
４２可動板
５１仮止め用ピン
５２仮止め用ネジ
６  敷居
６１敷居溝
７  つま先保護板
７１つま先保護板取付ネジ穴
７２つま先保護板取り付けネジ
８  かご床前梁
９  保護板固定穴
１０上板部
１０ｋ上板部
１０１貫通孔
【図１】
0006261483.tif 000002
【図２】
0006261483.tif 000003
【図３】
0006261483.tif 000004
【図４】
0006261483.tif 000005
【図５】
0006261483.tif 000006
【図６】
0006261483.tif 000007
【図７】
0006261483.tif 000008
【図８】
0006261483.tif 000009
【図９】
0006261483.tif 000010
【図１０】
0006261483.tif 000011
【図１１】
0006261483.tif 000012
【図１２】
0006261483.tif 000013
【図１３】
0006261483.tif 000014
【図１４】
0006261483.tif 000015
【図１５】
0006261483.tif 000016
【図１６】
0006261483.tif 000017
【図１７】
0006261483.tif 000018
【図１８】
0006261483.tif 000019
【図１９】
0006261483.tif 000020
【図２０】
0006261483.tif 000021
【図２１】
0006261483.tif 000022
【図２２】
0006261483.tif 000023
【図２３】
0006261483.tif 000024
【図２４】
0006261483.tif 000025
【図２５】
0006261483.tif 000026
【図２６】
0006261483.tif 000027